(57)【要約】【課題】全体の表紙デザインを何度でも自由に変更することが可能な表紙カバー体１を提供する。【解決手段】表紙カバー体１は、冊子類５の表表紙５１と裏表紙５２とがそれぞれ差し込まれる左右一対の内ポケット部１２，１３を形成したものであり、内ポケット部１２，１３を内面側の左右部に配置する内側シート３と、内側シート３の外面側に設けられて内側シート３の外面全体を覆う大きさの透明な外側シート２とにより構成されている。外側シート２は、表紙カバー体１の上端部１４が開口されて大きく開くことができる上部差込口１０を形成し、上部差込口１０を通して外側シート２と内側シート３との間に表紙カバー体１と略同じ大きさのオリジナル表紙４を配置可能とする表紙ポケット部１１を形成させている。【選択図】図１
2016153211.tif 000002
【特許請求の範囲】
【請求項１】
冊子類の表表紙と裏表紙とがそれぞれ差し込まれる左右一対の内ポケット部を形成した表紙カバー体であって、
上記内ポケット部を内面側の左右部に配置する内側シートと、内側シートの外面側に設けられて内側シートの外面全体を覆う大きさの透明な外側シートとにより構成し、
上記外側シートは、表紙カバー体の上端部が開口されて大きく開くことができる上部差込口を形成し、上部差込口を通して外側シートと内側シートとの間に表紙カバー体と同じか長辺側が少し短い大きさのオリジナル表紙を収納可能とする表紙ポケット部を形成させている表紙カバー体。
【請求項２】
請求項１に記載の表紙カバー体において、
上記外側シートは、内側シートと同じか左右幅が少し長い大きさに形成されているシート本体部と、シート本体部の左右端に形成されて縦折筋により内面側に折り返して内側シートの内面側に配置されて上記内ポケット部を形成する左右の横折り返し片部とを有し、
上記左右の横折り返し片部は、縦折筋に沿った基端部を内側シートの左右縁部に接合させて、この左右の接合部分が上記表紙ポケット部内に配置するオリジナル表紙に隠されて外からは透明な外側シートを透かしても見えないように構成されている表紙カバー体。
【請求項３】
請求項２に記載の表紙カバー体において、
上記外側シートは、シート本体部の下端左右部に形成されて第１横折筋により内面側に折り返して既に折り返されている左右の横折り返し片部の上面に接合されている左右の下折り返し片部をさらに有し、
上記内側シートは、上端左右部に形成されて第２横折筋により内面側に折り返して既に折り返されている外側シートの左右の横折り返し片部の上面に接合されている左右の上折り返し片部を有している表紙カバー体。
【請求項４】
冊子類の表表紙と裏表紙とがそれぞれ差し込まれる左右一対の内ポケット部を形成した表紙カバー体であって、
上記内ポケット部を内面側の左右部に配置する内側シートと、内側シートの外面側に設けられて内側シートの外面全体を覆う大きさの透明な外側シートとにより構成し、
上記外側シートは、表紙カバー体の上端部が開口されて大きく開くことができる上部差込口を形成し、上部差込口を通して外側シートと内側シートとの間に冊子類の表表紙と裏表紙とにわたって配置される大きさのオリジナル表紙を収納可能とする表紙ポケット部を形成し、
上記オリジナル表紙は、Ａ列、Ｂ列等の紙の規格寸法（ＪＩＳＰ０１３８）に合致する一定サイズであり、
上記冊子類の表表紙と裏表紙とは、上記一定サイズのオリジナル表紙のハーフサイズであり、
上記表紙ポケット部及び上記左右一対の内ポケット部は、表紙カバー体の見開き状態及び閉じ状態でも上記オリジナル表紙及び上記冊子類の表表紙と裏表紙とを弛みなく収納可能に形成されている表紙カバー体。
【請求項５】
請求項１〜４のいずれか１項に記載の表紙カバー体において、
上記外側シートは、上記表紙ポケット部における左右の外側端部の少なくとも一方側に外側端部から中央側への一定幅で外側端部の全長にわたって所定色の印刷部が施されている表紙カバー体。
【請求項６】
請求項１〜５のいずれか１項に記載の表紙カバー体において、
上記外側シートと上記内側シートとが一体的に設けられた一枚の透明なシート体から構成されており、表紙カバー体の下端部における連接部によって外側シートと内側シートとが一体的に連接されている表紙カバー体。
【請求項７】
冊子類の表表紙と裏表紙とがそれぞれ差し込まれる左右一対の内ポケット部を備える表紙カバー体の製造方法において、
外側シートとなる第１シート部と内側シートとなる第２シート部とが一体的に設けられている一枚の透明なシート体であって、
第１シート部は、シート本体部と、シート本体部の左右端に縦折筋により折り曲げ可能な横折り返し片部とが形成され、
第２シート部は、第１シート部のシート本体部下端にシート本体部と略同じ大きさを有して第１横折筋により折り曲げ可能に形成され、
第１シート部には、さらに、シート本体部下端の左右に、縦折筋の位置から中央側に溶着代相当分の連接部を残し且つ上記横折り返し片部の左右幅よりも短い長さ範囲で第２シート部をコ字状に切り込んで第１横折筋により折り曲げ可能な下折り返し片部が形成され、
第２シート部には、さらに、第１横折筋と対向する側の下端の左右に、上記下折り返し片部と同形同大であって下折り返し片部と対向する位置において第２横折筋により折り曲げ可能な上折り返し片部が形成されている、
以上の構成を備える一枚の透明なシート体を形成する工程と、
第２シート部を第１横折筋に沿って折り返して第１シート部のシート本体部上に重ね、その後、第１シート部の左右の横折り返し片部を縦折筋に沿って折り返して第２シート部上に重ねる工程と、
第２シート部上に重ねた第１シート部の左右の横折り返し片部において縦折筋に沿った基端部を第２シート部だけと溶着して、第１シート部と第２シート部とを重ねた上端部を開口させて第１シート部と第２シート部との間に一枚物のオリジナル表紙を収納可能とする表紙ポケット部を表紙カバー体の外面側に形成する工程と、
第１シート部の左右の下折り返し片部と第２シート部の左右の上折り返し片部とをそれぞれ第１横折筋と第２横折筋とに沿って折り返して第１シート部の横折り返し片部上に重ねる工程と、
横折り返し片部上に重ねた左右の下折り返し片部において先端部を左右幅方向に沿って横折り返し片部だけと溶着し、また、横折り返し片部上に重ねた左右の上折り返し片部において先端部を左右幅方向に沿って横折り返し片部だけと溶着して、横折り返し片部、下折り返し片部及び上折り返し片部により表紙カバー体の内面側となる第２シート部における第１シート部を配置しない面側に冊子類の表表紙と裏表紙とをそれぞれ差し込む左右一対の内ポケット部を形成する工程と、
を備える表紙カバー体の製造方法。
【請求項８】
請求項７に記載の表紙カバー体の製造方法において、
上記シート体の第１シート部と第２シート部とを連接する第１横折筋の中間位置に連通孔を形成する工程を有する表紙カバー体の製造方法。
【発明の詳細な説明】
【技術分野】
【０００１】
本発明は、ノートブック、手帳、アルバム、書籍等の冊子類に外装させてカバーや表紙として用いられる表紙カバー体及び製造方法に関する。
【背景技術】
【０００２】
従来、ブックカバー等の表紙カバー体は、外面に図柄を印刷したりタイトルやコメント等を記入したカード類を入れるポケットを形成したものがあった（特許文献１、特許文献２等）。
【先行技術文献】
【特許文献】
【０００３】
【特許文献１】実用新案登録第３１４３７２８号公報
【特許文献１】特開２００５−３５１９２号公報
【発明の概要】
【発明が解決しようとする課題】
【０００４】
従来の表紙カバー体では、外面に所定の図柄が施されたていると表紙デザインを自分好みのオリジナルデザインに変更することができず、また、外面のポケットにカード類を入れても表紙デザインの全体を変更するものではなかった。
本発明は、以上の事情に鑑みてなされ、全体の表紙デザインを何度でも自由に変更することが可能な表紙カバー体を提供することを目的とする。
【課題を解決するための手段】
【０００５】
本発明に係る表紙カバー体は、
冊子類の表表紙と裏表紙とがそれぞれ差し込まれる左右一対の内ポケット部を形成した表紙カバー体であって、
上記内ポケット部を内面側の左右部に配置する内側シートと、内側シートの外面側に設けられて内側シートの外面全体を覆う大きさの透明な外側シートとにより構成し、
上記外側シートは、表紙カバー体の上端部が開口されて大きく開くことができる上部差込口を形成し、上部差込口を通して外側シートと内側シートとの間に表紙カバー体と同じか長辺側が少し短い大きさのオリジナル表紙を配置可能とする表紙ポケット部を形成させているものである。
これにより、表紙ポケット部内にオリジナル表紙を差し入れることで全体の表紙デザインを何度でも自由に変更することができる。
【０００６】
上記外側シートは、内側シートと同じか左右幅が少し長い大きさに形成されているシート本体部と、シート本体部の左右端に形成されて縦折筋により内面側に折り返して内側シートの内面側に配置されて上記内ポケット部を形成する左右の横折り返し片部とを有し、
上記左右の横折り返し片部は、縦折筋に沿った基端部を内側シートの左右縁部に接合させて、この左右の接合部分が上記表紙ポケット部内に配置するオリジナル表紙に隠されて外からは透明な外側シートを透かしても見えないように構成されていることが望ましい。
これにより、表紙カバー体の外からは、左右端の接合部分がオリジナル表紙の上に重なることなく、オリジナル表紙が透明な外側シートを透かして視認されて見栄えのよいものとなる。
【０００７】
上記外側シートは、シート本体部の下端左右部に形成されて第１横折筋により内面側に折り返して既に折り返されている左右の横折り返し片部の上面に接合されている左右の下折り返し片部をさらに有し、
上記内側シートは、上端左右部に形成されて第２横折筋により内面側に折り返して既に折り返されている外側シートの左右の横折り返し片部の上面に接合されている左右の上折り返し片部を有していることが望ましい。
これにより、表紙カバー体を装着した冊子類は、外観上、オリジナル表紙だけで表装されているように見え、オリジナル表紙の意匠性を十分に発揮させることができる。
【０００８】
また、本発明に係る表紙カバー体は、
冊子類の表表紙と裏表紙とがそれぞれ差し込まれる左右一対の内ポケット部を形成した表紙カバー体であって、
上記内ポケット部を内面側の左右部に配置する内側シートと、内側シートの外面側に設けられて内側シートの外面全体を覆う大きさの透明な外側シートとにより構成し、
上記外側シートは、表紙カバー体の上端部が開放されて大きく開くことができる上部差込口を形成し、上部差込口を通して外側シートと内側シートとの間に冊子類の表表紙と裏表紙とにわたって配置される大きさのオリジナル表紙を収納可能とする表紙ポケット部を形成し、
上記オリジナル表紙は、Ａ列、Ｂ列等の紙の規格寸法（ＪＩＳＰ０１３８）に合致する一定サイズであり、
上記冊子類の表表紙と裏表紙とは、上記一定サイズのオリジナル表紙のハーフサイズであり、
上記表紙ポケット部及び上記左右一対の内ポケット部は、表紙カバー体の見開き状態及び閉じ状態でも上記オリジナル表紙及び上記冊子類の表表紙と裏表紙とを弛みなく収納可能に形成されているものである。
これにより、表紙ポケット部内にオリジナル表紙を差し入れることで全体の表紙デザインを何度でも自由に変更することができ、また、弛みなく綺麗な表紙を形成することができる。また、オリジナル表紙は、紙の規格寸法（ＪＩＳＰ０１３８）に合致する一定サイズ（例えば、Ａ４サイズ）のものを使用することで独自の表紙デザインを施したオリジナル表紙をプリンターにより手軽に作成することができる。左右一対の内ポケット部は、差し込む冊子類の表表紙と裏表紙とが上記一定サイズのオリジナル表紙（例えば、Ａ４サイズ）のハーフサイズ（例えば、Ａ５版）のものを弛みなく収納可能であるから、既製品の各種の冊子類に対応でき、使い勝手がよい。
【０００９】
上記外側シートは、上記表紙ポケット部における左右の外側端部の少なくとも一方側に外側端部から中央側への一定幅で外側端部の全長にわたって所定色の印刷部が施されていてもよい。
この場合、表紙ポケット部の左右端部でオリジナル表紙が端まで届かず隙間ができても印刷部が目隠しとなって冊子類の表裏表紙等が外から透けて見えず、意匠性を確保することができる。
【００１０】
上記外側シートと上記内側シートとが一体的に設けられた一枚の透明なシート体から構成されており、表紙カバー体の下端部における連接部によって外側シートと内側シートとが一体的に連接されているものとすることができる。
これにより、表紙ポケット部内に収納したオリジナル表紙が表紙カバー体の下端部からの脱落を防止することができる。
【００１１】
また、本発明に係る表紙カバー体の製造方法は、
冊子類の表表紙と裏表紙とがそれぞれ差し込まれる左右一対の内ポケット部を備える表紙カバー体の製造方法において、
外側シートとなる第１シート部と内側シートとなる第２シート部とが一体的に設けられている一枚の透明なシート体であって、
第１シート部は、シート本体部と、シート本体部の左右端に縦折筋により折り曲げ可能な横折り返し片部とが形成され、
第２シート部は、第１シート部のシート本体部下端にシート本体部と略同じ大きさを有して第１横折筋により折り曲げ可能に形成され、
第１シート部には、さらに、シート本体部下端の左右に、縦折筋の位置から中央側に溶着代相当分の連接部を残し且つ上記横折り返し片部の左右幅よりも短い長さ範囲で第２シート部をコ字状に切り込んで第１横折筋により折り曲げ可能な下折り返し片部が形成され、
第２シート部には、さらに、第１横折筋と対向する側の下端の左右に、上記下折り返し片部と同形同大であって下折り返し片部と対向する位置において第２横折筋により折り曲げ可能な上折り返し片部が形成されている、
以上の構成を備える一枚の透明なシート体を形成する工程と、
第２シート部を第１横折筋に沿って折り返して第１シート部のシート本体部上に重ね、その後、第１シート部の左右の横折り返し片部を縦折筋に沿って折り返して第２シート部上に重ねる工程と、
第２シート部上に重ねた第１シート部の左右の横折り返し片部において縦折筋に沿った基端部を第２シート部だけと溶着して、第１シート部と第２シート部とを重ねた上端部を開口させて第１シート部と第２シート部との間に一枚物のオリジナル表紙を収納可能とする表紙ポケット部を表紙カバー体の外面側に形成する工程と、
第１シート部の左右の下折り返し片部と第２シート部の左右の上折り返し片部とをそれぞれ第１横折筋と第２横折筋とに沿って折り返して第１シート部の横折り返し片部上に重ねる工程と、
横折り返し片部上に重ねた左右の下折り返し片部において先端部を左右幅方向に沿って横折り返し片部だけと溶着し、また、横折り返し片部上に重ねた左右の上折り返し片部において先端部を左右幅方向に沿って横折り返し片部だけと溶着して、横折り返し片部、下折り返し片部及び上折り返し片部により表紙カバー体の内面側となる第２シート部における第１シート部を配置しない面側に冊子類の表表紙と裏表紙とをそれぞれ差し込む左右一対の内ポケット部を形成する工程と、
を備える。
これにより、表紙ポケット部を備える表紙カバー体を容易に製造することができる。また、外側シートとなる第１シート部と内側シートとなる第２シート部との位置合わせを正確に行いやすく、不良品の発生を低減することができる。
【００１２】
上記製造方法において、
上記シート体の第１シート部と第２シート部とを連接する第１横折筋の中間位置に連通孔を形成する工程を有することが望ましい。
この場合、一体形成されている第１シート部と第２シート部とを折り重ねる際にこれらシート部間の空気が連通孔から外部に抜け、第１シート部と第２シート部との折り曲げ付近でも両シート部をぴったり重ね合せ易くすることができる。従って、例えば、その後の各部の溶着作業等を円滑に行うことができる。
【発明の効果】
【００１３】
本発明に係る表紙カバー体によれば、上部差込口を大きく開いて表紙ポケット部内に表紙カバー体と略同じ大きさのオリジナル表紙を簡単に差し入れ、また差し替えることができ、全体の表紙デザインを何度でも自由に変更することができる。従って、使用者個人においては表紙カバー体を自分好みの表紙デザインに手軽に着せ替えることができ、また、企業においては表紙カバー体を適宜の表紙デザインに着せ替えて自社の広告媒体等として有効に利用することができる。
【図面の簡単な説明】
【００１４】
【図１】実施形態１の表紙カバー体において上部差込口からオリジナル表紙を差し入れる状態を示す斜視図である。
【図２】実施形態１の表紙カバー体において内ポケット部に冊子類を装着した状態の内面側を示す平面図である。
【図３】実施形態１の表紙カバー体における内面側を示す平面図である。
【図４】実施形態１の表紙カバー体における外面側を示す平面図である。
【図５】外側シートを展開した状態を示す展開図である。
【図６】内側シートを展開した状態を示す展開図である。
【図７】表紙カバー体における内ポケット部の上端部側（図７（ａ））と下端部側（図７（ｂ））とを示す部分拡大図である。
【図８】表紙カバー体における左右の接合部分がオリジナル表紙により隠される状態を示す部分拡大図である。
【図９】実施形態２の表紙カバー体における内面側を示す展開図である。
【図１０】実施形態２の表紙カバー体を形成する一枚のシート体を示す平面図である。
【図１１】実施形態２の表紙カバー体を一枚のシート体から製造する工程（第１工程、第２工程）を示す平面図である。
【図１２】実施形態２の表紙カバー体を一枚のシート体から製造する工程（第２工程、第３工程）を示す平面図である。
【図１３】実施形態２の表紙カバー体を一枚のシート体から製造する工程（第４工程、第５工程）を示す平面図である。
【図１４】表紙カバー体における外側シートに印刷部を施した例であって表紙を見開いた状態（図１４（ａ））と表紙を閉じた状態（図１４（ｂ））を示す平面図である。
【発明を実施するための形態】
【００１５】
以下に、本発明の実施形態について添付図面を参照しながら説明する。
なお、本明細書において左右の内ポケット部の並び方向を左右方向又は横方向とし、左右の内ポケット部の並び方向に対して垂直方向を上下方向又は縦方向とする。
【００１６】
（実施形態１）
図１〜図４に示すように、実施形態１の表紙カバー体１は、冊子類５の表表紙５１と裏表紙５２とがそれぞれ横方向から差し込まれる左右一対の内ポケット部１２，１３を内面側の左右部に配置する内側シート３と、内側シート３の外面側に設けられて内側シート３の外面全体を覆う大きさの透明な外側シート２とにより構成されている。表紙カバー体１の上部側では、外側シート２は、表紙カバー体１の上端部１４の全体が開口されて大きく開くことができる上部差込口１０を形成し、この上部差込口１０を通して外側シート２と内側シート３との間に表紙カバー体１と同じか長辺側が若干短い大きさのオリジナル表紙４を配置可能とする表紙ポケット部１１を形成している。内側シート３は、中央に縦方向に全長にわたって延びる中央縦折筋３３が形成され、この中央縦折筋３３を境に左右に表紙部３１，３２が設けられている。外側シート２は、中央に縦方向に全長にわたって延びる中央縦折筋２３が形成され、この中央縦折筋２３を境に左右に表紙部２１，２２が設けられている。これら中央縦折筋２３，３３により内側シート３と外側シート２とが内側に折り曲げ自在となっており、表紙カバー体１を見開き及び折り畳みやすくなっている。冊子類５としては、例えば、ノートブック、手帳、アルバム、書籍等が例示される。
【００１７】
図５を参照して、内側シート３は、全体が長方形形状に形成された透明又は不透明の樹脂シートからなり、上端左右部に横折筋３４ａ，３５ａを境に形成されて横折筋（第２横折筋）３４ａ，３５ａにより内面側に折り返される左右の上折り返し片部３４，３５を有している。なお、内側シート３は、樹脂シートに限らず、紙、革等の素材シートから形成したものでもよい。図６を参照して、外側シート２は、全体が長方形形状に形成された高透明の樹脂シートからなり、内側シート３と同じか左右幅が若干長い大きさに形成されているシート本体部２０と、シート本体部２０の左右に縦折筋２４ａ，２５ａを境に形成されて縦折筋２４ａ，２５ａにより内面側に折り返される左右の横折り返し片部２４，２５と、シート本体部２０の下端左右部に横折筋（第１横折筋）２６ａ，２７ａを境に形成されて横折筋２６ａ，２７ａにより内面側に折り返される左右の下折り返し片部２６，２７とを有している。シート本体部２０は、中央縦折筋２３を境に左右に表紙部２１，２２を有している。
【００１８】
そして、内側シート３を外側シート２の内面に配置してシート本体部２０上に重ね合わせ、外側シート２の左右の横折り返し片部２４，２５を縦折筋２４ａ，２５ａにより内面側に折り返して内側シート３の内面上に配置させている。折り返した左右の横折り返し片部２４，２５は、縦折筋２４ａ，２５ａに沿った基端部を縦方向に全長にわたって内側シート３の左右縁部と溶着により接合した接合部分６１，６２を形成している（図３中、○
で囲んだ拡大部を参照）。また、図７をも参照して、外側シート２の左右の下折り返し片部２６，２７は、横折筋２６ａ，２７ａにより内面側に折り返して既に折り返されている左右の横折り返し片部２４，２５の上に配置させ、その先端部側を横方向に全長にわたって横折り返し片部２４，２５と溶着により接合した接合部分６３，６４を形成させている（図７（ｂ）参照）。内側シート３の左右の上折り返し片部３４，３５は、横折筋３４ａ，３５ａにより内面側に折り返して既に折り返されている左右の横折り返し片部２４，２５の上に配置させ、その先端部側を横方向に全長にわたって横折り返し片部２４，２５と溶着により接合した接合部分６５，６６を形成させている（図７（ａ）参照）。
【００１９】
このようにして、外側シート２の左右の横折り返し片部２４，２５により内側シート３との間で冊子類５の表表紙５１と裏表紙５２とを差し込む左右一対の内ポケット部１２，１３を形成させている。また同時に、表紙カバー体１の上部側では、内側シート３の左右の上折り返し片部３４，３５を外側シート２の左右の横折り返し片部２４，２５と溶着（接合部分６５，６６）しているので、外側シート２は、表紙カバー体１の上端部１４の全体が開放されて大きく開くことができる上部差込口１０を形成し、この上部差込口１０を通して外側シート２と内側シート３との間に表紙カバー体１と略同じ大きさのオリジナル表紙４を配置可能とする表紙ポケット部１１を形成させている。
【００２０】
内ポケット部１２，１３は、上折り返し片部３４，３５も下折り返し片部２６，２７も横折り返し片部２４，２５の外面に配置して溶着（接合部分６３，６４，６５，６６）しているから、内ポケット部１２，１３内には引っ掛かるような部分が無く、冊子類５の表表紙５１及び裏表紙５２を内ポケット部１２，１３内に引っ掛かり無く円滑に差し込むことができる。表紙カバー体１の下部側では、外側シート２の左右の下折り返し片部２６，２７を外側シート２の左右の横折り返し片部２４，２５と溶着（接合部分６３，６４）しているので、表紙ポケット部１１の下端部１５は、左右部分が下折り返し片部２６，２７により閉じられてオリジナル表紙４の脱落が防止される。表紙ポケット部１１の下端部１５の中央部分では、下折り返し片部２６，２７が配置されず内側シート３と外側シート２とが離反可能となっているので（図７（ｂ）参照）、上部差込口１０を開くときには下端中央部分の内側シート３と外側シート２とが離反して上部差込口１０を大きく開きやすくしている。
【００２１】
以上の構成の表紙カバー体１によれば、外側シート２は、表紙カバー体１の上部側においてパクッと大きく開くことができる上部差込口１０を形成するので、この上部差込口１０を通して表紙カバー体１と略同じ大きさのオリジナル表紙４を、表紙カバー体１の外面全体を覆う表紙ポケット部１１内に対して簡単に差し入れ、差し替えることができる。従って、表紙カバー体１の外面に全面的に任意のオリジナル表紙４を簡単に配置させ、透明な外側シート２を透かして表紙カバー体１の外側全体の表紙デザインを手軽に着せ替えることができる。
【００２２】
オリジナル表紙４として、独自の写真データ、イラストデータ、企業ロゴや企業イメージ等の各種のデザインデータをプリンターにて所望の用紙にプリントしたものとすることができる。このオリジナル表紙４の紙サイズは、Ａ列、Ｂ列等の紙の規格寸法（ＪＩＳＰ０１３８）に合致する一定サイズである。ノートブック等の冊子類は、表表紙５１と裏表紙５２とは、この一定サイズのオリジナル表紙４のハーフサイズ又は短辺側が該ハーフサイズよりも若干短いサイズである。例えば、表紙ポケット部１１をＡ４サイズの用紙を収納可能な大きさとすれば、デザインデータをＡ４サイズの用紙にプリントして、これをオリジナル表紙４とすることができる。従って、使用者個人においては冊子類５に装着する表紙カバー体１を自分好みの表紙デザインに手軽に着せ替えることができ、また、企業においては冊子類５に装着する表紙カバー体１を、例えば企業イメージ等を現わす表紙デザインに適宜に着せ替えてノベルティ商品等に採用して自社の広告媒体等として有効利用することができる。
【００２３】
また、外側シート２のシート本体部２０は、内側シート３と略同じ大きさに形成されているので、表紙ポケット部１１の外側部材となり、表紙カバー体１の外面を構成する。内側シート３は、表紙ポケット部１１の内側部材となる。そして、外側シート２の左右の横折り返し片部２４，２５は、縦折筋２４ａ，２５ａに沿った基端部を内側シート３の左右縁部に溶着にて接合（接合部分６１，６２）させ、その左右の接合部分６１，６２が表紙ポケット部１１内に配置するオリジナル表紙４に隠されて外からは透明な外側シート２を透かしても見えないように構成されている。すなわち、左右の横折り返し片部２４，２５の接合部分６１，６２は、横折り返し片部２４，２５と内側シート３との間で形成され、外側シート２のシート本体部２０には接合部分６１，６２が形成されていない。
従って、図８に示すように、左右端の接合部分６１，６２は、表紙ポケット部１１内にオリジナル表紙４が配置されると、オリジナル表紙４の裏面側に配置され、表紙ポケット部１１の外からは透明な外側シート２を透かしてもオリジナル表紙４に隠されて視認されない。よって、表紙カバー体１の外からは、接合部分６１，６２がオリジナル表紙４の上に重なることなく、オリジナル表紙４が透明な外側シート２を透かして視認されて見栄えのよいものとなる。
【００２４】
また、左右の内ポケット部１２，１３において、左右の下折り返し片部２６，２７及び上折り返し片部３４，３５における接合部分６３，６４，６５，６６は、外側シート２の左右の横折り返し片部２４，２５の上面に形成され、外側シート２のシート本体部２０には形成されていない。従って、内ポケット部１２，１３を形成するための全ての接合部分６１，６２，６３，６４，６５，６６は、外側シート２のシート本体部２０には形成されていない。よって、表紙カバー体１の外からは、接合部分６１，６２，６３，６４，６５，６６の全てがオリジナル表紙４の上に重なることなく、オリジナル表紙４のみが透明な外側シート２を透かして視認され、非常に見栄えのよいものとなる。その結果、この表紙カバー体１を装着した冊子類５は、外観上、オリジナル表紙４だけで表装されているように見え、差し替え自在なオリジナル表紙４の意匠性を損なうことなく、オリジナル表紙４の意匠性を十分に発揮させることができる。
【００２５】
（実施形態２）
図９、図１０に示すように、実施形態２の表紙カバー体１Ａは、外側シート２と内側シート３とが一体的に設けられた一枚の透明なシート体１０１により形成されており、表紙カバー体１Ａの下端部１５において外側シート２と内側シート３とが連接部１２０ａ，１２０ｂによって一体的に連接されている。なお、シート体１０１は、透明な樹脂シートで形成されるが、内側シート３となる部分には印刷等を施して不透明又は半透明としたものでもよい。また、表紙カバー体１Ａは、見開き状態において中央縦折筋ｙの下端部に表紙ポケット部１１と連通する連通孔ｈが設けられている。これにより、表紙ポケット部１１内にオリジナル表紙４を収納させた後でも表紙ポケット部１１内の下方の空気がこの連通孔ｈから外部に抜け、外側シート２の浮きを防止することができ、見栄えも良くなる。また、表紙カバー体１Ａの製造時には、一体形成されている外側シート２と内側シート３とを折り重ねる際にこれらシート２，３間の空気が連通孔ｈから外部に抜け、特に外側シート２と内側シート３との折り曲げ付近（連接部１２０ａ，１２ｂ付近）でも両シート２，３をぴったり重ね合せ易くすることができ、その後の各部の溶着作業等を円滑に行うことができる。なお、実施形態２の表紙カバー体１Ａにおけるその他の構成及び作用効果は、基本的には上記実施形態１と同様である。
【００２６】
次に、実施形態２の表紙カバー体１Ａの製造方法について説明する。
第１工程として、以下の構成を備える一枚の透明なシート体１０１を形成する。
図１０に示すように、シート体１０１は、外側シート２となる第１シート部１０２と内側シート３となる第２シート部１０３とが一体的に設けられたものである。第１シート部１０２は、長方形形状のシート本体部２０を有し、シート本体部２０の短辺である左右端に縦折筋ｙ１により折り曲げ可能にした縦長長方形の横折り返し片部２４，２５が一体的に形成され、また、第２シート部１０３は、第１シート部１０２のシート本体部２０と同形同大であってシート本体部２０下端に第１横折筋ｘ１により折り曲げ可能にして一体的に形成されている。第１シート部１０２には、さらに、シート本体部２０下端の左右に、縦折筋ｙ１の位置から中央側に溶着代相当分の連接部１２０ａを残し且つ上記横折り返し片部２４，２５の左右幅よりも短い長さ範囲で第２シート部１０３にコ字状の切り込みｋを設けて第１横折筋ｘ１により折り曲げ可能にした横長長方形の下折り返し片部２６，２７が形成されている。第２シート部１０３には、さらに、第１横折筋ｘ１と対向する側の下端の左右に、下折り返し片部２６，２７と同形同大であって下折り返し片部２６，２７と対向する位置において第２横折筋ｘ２により折り曲げ可能にした横長長方形の上折り返し片部３４，３５が形成されている。
【００２７】
また、シート体１０１には、左右に二等分するように縦方向に全長にわたって延びる中央縦折筋ｙが形成されている。この中央縦折筋ｙにより完成した表紙カバー体１Ａでは、内側シート３と外側シート２とが中央縦折筋ｙに沿って内側に折り曲げ自在となり見開き及び折り畳みやすくすることができる。なお、中央縦折筋ｙの形成工程は、この第１工程で行わなくてもよく、表紙カバー体１Ａの製造工程中のどこかで実施するようにしてもよい。
【００２８】
また、第１シート部１０２と第２シート部１０３とを連接する第１横折筋ｘ１の中間位置には連通孔ｈが形成されている。シート体１０１に形成する際の連通孔ｈの形状は、例えば、十字孔形状とするのが好ましいが、これに限らず、丸孔、四角孔等の多角形孔等、任意の形状とすることができる。なお、この連通孔ｈの位置は、完成した表紙カバー体１Ａを中央縦折筋ｙに沿って折り畳むと背の下側角部に位置するので、この折り畳み状態でＲ状となるように、シート体１０１に形成する際の連通孔ｈの形状は、内径の角部をＲ状とし外方へ延びる４つ先端を尖らした十字孔形状とするのが好ましい。ただし、連通孔ｈの形状を丸孔とすれば、十字孔のような方向性を気にせずに簡易に形成することができる。
【００２９】
また、シート体１０１を形成する際、シート本体部２０の四つ角２０ｋ、左右の横折り返し片部２４，２５におけるシート本体部２０連接側の上下角２５ｋ、さらに、第２シート部１０３の四つ角１０３ｋは、Ｒ状に形成される。これにより、完成した表紙カバー体１Ａの四つ角がＲ状の面取り形状となる。
【００３０】
第１工程にて以上の構成のシート体１０１を形成するには、例えば、素材シートに対してトムソン刃、熱刃等の刃物で切り抜き、切り取り、溶断等してシート体１０１の各形状等を形成し、また、押圧刃、ロール刃等の押し具で押圧、線引き等して各折筋ｙ，ｙ１，ｘ１，ｘ２を形成することができる。
【００３１】
第２工程では、図１１（ａ）（ｂ）、図１２（ｃ）に示すように、シート体１０１において、第２シート部１０３を第１横折筋ｘ１に沿って折り返して第１シート部１０２のシート本体部２０上に重ね（図１１（ａ）（ｂ）参照）、その後、第１シート部１０２の左右の横折り返し片部２４，２５を縦折筋ｙ１に沿って折り返して第２シート部１０３上に重ねる（図１２（ｃ）参照）。
【００３２】
第３工程では、図１２（ｄ）に示すように、第２シート部１０３上に重ねた第１シート部１０２の左右の横折り返し片部２４，２５において縦折筋ｙ１に沿った基端部を第２シート部１０３だけに溶着させる。これにより、第２シート部１０３と、この第２シート部１０３の後側（外側）に配置される第１シート部１０２のシート本体部２０との間は接合されないから、第１シート部１０２と第２シート部１０３とを重ねた上端部全体を開口可能とする上部差込口１０が形成され、この上部差込口１０から第１シート部１０２（外側シート２）と第２シート部１０３（内側シート３）との間に一枚物のオリジナル表紙４を収納可能とする表紙ポケット部１１が表紙カバー体１Ａの外面側に形成される（図９参照）。
【００３３】
この第３工程において、溶着部分６１，６２では、第１シート部１０２のシート本体部２０、第２シート部１０３、第１シート部１０２の横折り返し片部２４，２５が順に重なった三層となっているが、最上層の横折り返し片部２４，２５側から押し当てる熱刃のような溶着治具における治具温度、押圧時間、押圧力等を調整することで、三層（シート本体部２０、第２シート部１０３、横折り返し片部２４，２５）とも溶着されることなく、上の二層（第２シート部１０３と横折り返し片部２４，２５）だけを溶着させることができる。
【００３４】
ただし、このような溶着方法に限らず、他の溶着方法を行ってもよく、例えば、シート本体部２０と第２シート部１０３との間に薄い当て板を配設したり、最下層のシート本体部２０の下に放熱板を配設したりする等して、最上層の横折り返し片部２４，２５側から溶着治具を押し当てるようにしてもよい。なお、この第３工程における溶着作業では、左右の横折り返し片部２４，２５を左右別々に溶着するが、左右同時に溶着するようにしてもよい。左右の横折り返し片部２４，２５を別々に溶着する場合は、一つの溶着治具を備えた装置で対応できるので、溶着装置を簡易に構成することができ、また設備コストを低減することができる。また、左右の横折り返し片部２４，２５を別々に溶着する場合は、左右の横折り返し片部２４，２５ごとに第２工程と第３工程とを行うことができる。
【００３５】
第４工程では、図１２（ｄ）、図１３（ｅ）に示すように、第１シート部１０２の左右の下折り返し片部２６，２７、第２シート部１０３の左右の上折り返し片部３４，３５をそれぞれ第１横折筋ｘ１、第２横折筋ｘ２に沿って折り返して第１シート部１０２の横折り返し片部２４，２５上に重ねる。
【００３６】
第５工程では、図１３（ｆ）に示すように、横折り返し片部２４，２５上に重ねた左右の下折り返し片部２６，２７において先端部を左右幅方向に沿って横折り返し片部２４，２５だけに溶着させ、また、横折り返し片部２４，２５上に重ねた左右の上折り返し片部３４，３５において先端部を左右幅方向に沿って横折り返し片部２４，２５だけに溶着させる。これにより、第２シート部１０３における第１シート部１０２のシート本体部２０を配置しない面側（表紙カバー体１Ａの内面側）に、横折り返し片部２４，２５、下折り返し片部２６，２７及び上折り返し片部３４，３５によって冊子類５の表表紙５１と裏表紙５２とをそれぞれ差し込む左右一対の内ポケット部１２，１３が形成される（図９参照）。
【００３７】
この第５工程において、上折り返し片部３４，３５の溶着部分６５，６６では、第１シート部１０２のシート本体部２０、第２シート部１０３、第１シート部１０２の横折り返し片部２４，２５、さらには上折り返し片部３４，３５が順に重なった四層となっており、一方、下折り返し片部２６，２７の溶着部分６３，６４では、第２シート部１０３が切り込みｋにより切り欠かれているので、第１シート部１０２のシート本体部２０、第１シート部１０２の横折り返し片部２４，２５、さらには下折り返し片部２６，２７が順に重なった三層となっている。
【００３８】
この場合も、上述の第３工程と同様に、最上層の上折り返し片部３４，３５や下折り返し片部２６，２７の側から押し当てる熱刃のような溶着治具における治具温度、押圧時間、押圧力等を調整することで、上の二層（上折り返し片部３４，３５と横折り返し片部２４，２５、下折り返し片部２６，２７と横折り返し片部２４，２５）だけを溶着させることができる。ただし、このような溶着方法に限らず、上述の第３工程と同じような要領にて他の溶着方法を行ってもよい。
【００３９】
なお、この第５工程における溶着は、左右の上折り返し片部３４，３５の溶着と、左右の下折り返し片部２６，２７の溶着とを別々に行うが、下折り返し片部２６，２７と上折り返し片部３４，３５とを同時に溶着するようにしてもよい。下折り返し片部２６，２７と上折り返し片部３４，３５とを別々に溶着する場合は、一つの溶着治具を備えた装置で対応できるので、溶着装置を簡易に構成することができ、また設備コストを低減することができる。また、下折り返し片部２６，２７と上折り返し片部３４，３５とを別々に溶着する場合は、下折り返し片部２６，２７と上折り返し片部３４，３５ごとに第４工程と第５工程とを行うことができる。また、下折り返し片部２６，２７と上折り返し片部３４，３５の右側と左側とに分けて左右別々に溶着するようにしてもよい。
【００４０】
以上の製造方法では、横折り返し片部２４，２５と下折り返し片部２６，２７及び上折り返し片部３４，３５との間を溶着するための工程（第４、第５の工程）よりも、先に第２シート部１０３と横折り返し片部２４，２５とを溶着するための工程（第２、第３の工程）を行うようにしている。これにより、横折り返し片部２４，２５と下折り返し片部２６，２７及び上折り返し片部３４，３５との間を溶着する際（第４、第５の工程）、横折り返し片部２４，２５と下折り返し片部２６，２７及び上折り返し片部３４，３５との間の位置合わせを容易とし、位置ズレや溶着ミス等を防止することができる。なお、横折り返し片部２４，２５と下折り返し片部２６，２７及び上折り返し片部３４，３５との間を溶着するための工程（第４、第５の工程）を、第２シート部１０３と横折り返し片部２４，２５とを溶着するための工程（第２、第３の工程）よりも先に行うようにしてもよい。
以上の製造工程を実施することにより、図９に示す表紙カバー体１Ａが作製される。
【００４１】
（その他）
本発明に係る表紙カバー体として、オリジナル表紙４は、Ａ列、Ｂ列等の紙の規格寸法（ＪＩＳＰ０１３８）に合致する一定サイズであり、冊子類５の表表紙５１と裏表紙５２とは、上記一定サイズのオリジナル表紙４のハーフサイズである場合、表紙ポケット部１１及び左右一対の内ポケット部１２，１３は、表紙カバー体の見開き状態及び閉じ状態でもオリジナル表紙４及び冊子類５の表表紙５１と裏表紙５２とを弛みなく収納可能に形成したものとすることができる。
例えば、表紙カバー体の一例として、表紙ポケット部１１はＡ４サイズのオリジナル表紙４を収納可能とし、左右一対の内ポケット部１２，１３はＡ４のハーフサイズであるＡ５版の冊子類５を収納可能とする。この場合、表紙カバー体の見開き状態及び閉じ状態でもオリジナル表紙４及び冊子類５の表表紙５１と裏表紙５２とを弛みなく収納可能に形成するためには、表紙ポケット部１１及び左右一対の内ポケット部１２，１３のサイズ調整や溶着部の形成等によりオリジナル表紙４及び冊子類５の表表紙５１と裏表紙５２の弛み是正を行うようにすることができる。例えば、オリジナル表紙４がＡ４サイズ、冊子類５がＡ５板の場合、表紙ポケット部１１の長辺側の長さ、及び左右の内ポケット部１２，１３の外側端部間の長さをＡ４サイズの長辺長さ（２９７ｍｍ）よりも少し長い目とすること、表紙ポケット部１１や左右一対の内ポケット部１２，１３はＡ４サイズよりも長くするとともに所定位置に溶着部を形成してオリジナル表紙４や冊子類５が安定して収納されるようにする等して対応することができる。
これにより、表紙ポケット部１１内にオリジナル表紙４を差し入れることで全体の表紙デザインを何度でも自由に変更することができ、また、弛みなく綺麗な表紙を形成することができる。また、オリジナル表紙４は、紙の規格寸法（ＪＩＳＰ０１３８）に合致する一定サイズ（例えば、Ａ４サイズ）のものを使用することで独自の表紙デザインを施したオリジナル表紙４をプリンターにより手軽に作成することができる。左右一対の内ポケット部１２，１３は、差し込む冊子類５の表表紙５１と裏表紙５２とが上記一定サイズのオリジナル表紙（例えば、Ａ４サイズ）のハーフサイズ（例えば、Ａ５版）のものを弛みなく収納可能であるから、既製品の各種の冊子類５に対応でき、使い勝手がよい。
【００４２】
なお、本発明は、以上の実施形態のみに限定されず、本発明の要旨の範囲内で必要に応じて変更を施すことが可能である。
例えば、接合部分６１，６２，６３，６４，６５，６６は、溶着に限らず接着剤で接着して形成することでもよい。
また、図１４に示すように、外側シート２は、表紙ポケット部１１における左右の外側端部の少なくとも一方側に外側端部から中央側への一定幅で外側端部の全長にわたって白色、青色等の所定色の印刷部７を施すようにしてもよい。この場合、表紙ポケット部１１の左右幅寸法がオリジナル表紙４の長辺側の長さよりも少し長い場合でも、表紙カバー体１Ａを閉じた状態（図１４（ｂ））や見開いた状態（図１４（ａ））のとき、表紙ポケット部４の左右端部でオリジナル表紙４が端まで届かず隙間ができても印刷部７が目隠しとなって冊子類５の表裏表紙１２，１３や接合部分６１，６２が外から透けて見えず、意匠性を確保することができる。
【符号の説明】
【００４３】
１  表紙カバー体
２  外側シート
３  内側シート
４  オリジナル表紙
５  冊子類
７  印刷部
１０  上部差込口
１１  表紙ポケット部
１２，１３  内ポケット部
１４  表紙カバー体の上端部
１５  表紙カバー体の下端部
２０  シート本体部
２０ｋ  シート本体部の角部
２１  外側シートの左表紙部
２２  外側シートの右表紙部
２３  外側シートの中央縦折筋
２４，２５  横折り返し片部
２５ｋ  横折り返し片部の内側の角部
２６，２７  下折り返し片部
２６ａ，２７ａ  外側シートの横折筋
３１  内側シートの左表紙部
３２  内側シートの右表紙部
３３  内側シートの中央縦折筋
３４，３５  上折り返し片部
３４ａ，３５ａ  内側シートの横折筋
５１  冊子類の表表紙
５２  冊子類の裏表紙
６１，６２，６３，６４，６５，６６  接合部分
１０１  シート体
１０２  第１シート部（外側シート）
１０３  第２シート部（内側シート）
１０３ｋ  第２シート部の角部
１２０ａ，１２０ｂ  連接部
ｈ  連通孔
ｋ  切り抜き
ｘ１  第１横折筋
ｘ２  第２横折筋
ｙ  中央縦折筋
ｙ１  縦折筋
【図１】
2016153211.tif 000003
【図２】
2016153211.tif 000004
【図３】
2016153211.tif 000005
【図４】
2016153211.tif 000006
【図５】
2016153211.tif 000007
【図６】
2016153211.tif 000008
【図７】
2016153211.tif 000009
【図８】
2016153211.tif 000010
【図９】
2016153211.tif 000011
【図１０】
2016153211.tif 000012
【図１１】
2016153211.tif 000013
【図１２】
2016153211.tif 000014
【図１３】
2016153211.tif 000015
【図１４】
2016153211.tif 000016